(57)【要約】  本発明の実施形態は、Ｄ２Ｄ通信とセルラ通信とを備える通信システムにおいてＵＥをスケジューリングする方法及び装置を提供する。セルラ通信は、基地局（ＢＳ）と少なくとも１つのＵＥとの間で実行され、Ｄ２Ｄ通信は、Ｄ２Ｄ送信機とＤ２Ｄ受信機との間で実行される。本発明の方法によれば、Ｄ２Ｄ送信機からＤ２Ｄ受信機への通信が停止しているマージンを示すＤ２Ｄ通信の停止マージンが取得され、そして次に、セルラスケジューリングを実行するために、少なくとも１つのＵＥのターゲット送信電力が、停止マージンに基づいて判別される。【選択図】図２
2015515772.tif 000002
【特許請求の範囲】
【請求項１】
Ｄ２Ｄ送信機とＤ２Ｄ受信機との間で実行されるデバイス間（Ｄ２Ｄ）通信と、基地局（ＢＳ）と少なくとも１つのユーザ機器（ＵＥ）との間で実行されるセルラ通信と、を備える通信システムにおいてＵＥをスケジューリングする装置であって、
前記Ｄ２Ｄ送信機から前記Ｄ２Ｄ受信機への通信が停止しているマージンを示す前記Ｄ２Ｄ通信の停止マージンを取得するように構成された取得部と、
セルラスケジューリングを実行するために、前記少なくとも１つのＵＥのターゲット送信電力を、前記停止マージンに基づいて判別するように構成された判別部と、を備える、
装置。
【請求項２】
前記取得部は、
前記Ｄ２Ｄ送信機の前記Ｄ２Ｄ受信機への伝送路損失と、前記Ｄ２Ｄ送信機の電力リミットと、前記Ｄ２Ｄ受信機におけるガウス雑音の出力と、を取得するように構成された第１の取得手段と、
前記Ｄ２Ｄ通信の伝送率と前記Ｄ２Ｄ通信の停止確率閾値とを調節するように構成された調節手段と、
前記停止マージンを、前記Ｄ２Ｄ送信機の前記Ｄ２Ｄ受信機への伝送路損失と、前記Ｄ２Ｄ送信機の送信電力の前記電力リミットと、前記Ｄ２Ｄ受信機における前記ガウス雑音の出力と、前記Ｄ２Ｄ通信の前記伝送率と、前記Ｄ２Ｄ通信の前記停止確率閾値と、に基づいて取得するように構成された取得手段と、を備える、
請求項１に記載の装置。
【請求項３】
前記判別部は、
前記少なくとも１つのＵＥのうち１つの前記Ｄ２Ｄ受信機への伝送路損失を取得するように構成された第２の取得手段と、
前記少なくとも１つのＵＥのうち１つによって引き起こされた停止確率が停止確率閾値を超えるか否かを、前記取得された伝送路損失と前記停止マージンとに基づいて判別するように構成された第１の判別手段と、
前記少なくとも１つのＵＥのうち１つによって引き起こされた前記停止確率が前記停止確率閾値を超えると判別されたことに応答して、前記少なくとも１つのＵＥのうち１つの前記ターゲット送信電力をゼロに設定するように構成された第１の設定手段と、を備える、
請求項１に記載の装置。
【請求項４】
前記判別部は、
前記少なくとも１つのＵＥのうち１つの前記Ｄ２Ｄ受信機への伝送路損失を取得するように構成された第３の取得手段と、
前記セルラスケジューリングに関与する１つまたは複数のＵＥの上限を示すＵＥ数リミットに従って前記停止マージンを調整するように構成された第１の調整手段と、
前記少なくとも１つのＵＥのうち１つによって引き起こされた停止確率が停止確率閾値を超えるか否かを、前記取得された伝送路損失と前記調整された停止マージンとに基づいて判別するように構成された第２の判別手段と、
前記少なくとも１つのＵＥのうち１つによって引き起こされた前記停止確率が前記停止確率閾値を超えると判別されたことに応答して、前記少なくとも１つのＵＥのうち１つの前記ターゲット送信電力をゼロに設定するように構成された第２の設定手段と、を備える、
請求項１に記載の装置。
【請求項５】
前記判別部は、
前記少なくとも１つのＵＥのうち１つの前記Ｄ２Ｄ受信機への伝送路損失と、前記少なくとも１つのＵＥのうち１つの全電力と、を取得するように構成された第４の取得手段と、
前記セルラスケジューリングに関与する１つまたは複数のＵＥの上限を示すＵＥ数リミットに従って前記停止マージンを調整するように構成された第２の調整手段と、
前記少なくとも１つのＵＥのうち１つの前記ターゲット送信電力を、前記取得された伝送路損失と、前記取得された全電力と、前記調整された停止マージンと、に基づいて判別するように構成された第３の判別手段と、を備える、
請求項１に記載の装置。
【請求項６】
前記第１の調整手段または前記第２の調整手段は、
前記停止マージンを前記ＵＥ数リミットによって除算することにより平均停止マージンを算出するように構成された第１の算出手段と、
前記停止マージンを前記平均停止マージンによって更新するように構成された第１の更新手段と、を備える、
請求項４または５に記載の装置。
【請求項７】
前記第１の調整手段または前記第２の調整手段は、
前記停止マージンを前記ＵＥ数リミットによって除算することにより平均停止マージンを算出するように構成された第２の算出手段と、
前記少なくとも１つのＵＥそれぞれの重みを、伝送路損失または前記少なくとも１つのＵＥそれぞれの前記Ｄ２Ｄ受信機への平均チャネルゲインに基づいて算出するように構成された第３の算出手段と、
前記算出された重みによって前記平均停止マージンを重み付けするように構成された重み付け手段と、
前記重み付けされた平均停止マージンによって前記停止マージンを更新するように構成された第２の更新手段と、を備える、
請求項４または５に記載の装置。
【請求項８】
前記第２の取得手段、前記第３の取得手段、または前記第４の取得手段は、
Ｄ２Ｄ受信機が前記少なくとも１つのＵＥのうち１つの前記Ｄ２Ｄ受信機への伝送路損失を取得するように、前記少なくとも１つのＵＥのうち１つから前記ＢＳへ送信された参照信号を聴取するように前記Ｄ２Ｄ受信機へ通知するように構成された通知手段と、
前記少なくとも１つのＵＥのうち１つの前記Ｄ２Ｄ受信機への前記伝送路損失を前記Ｄ２Ｄ受信機から取得するように構成された第５の取得手段と、を備える、
請求項３乃至５の何れか１項に記載の装置。
【請求項９】
Ｄ２Ｄ送信機とＤ２Ｄ受信機との間で実行されるデバイス間（Ｄ２Ｄ）通信と、基地局（ＢＳ）と少なくとも１つのユーザ機器（ＵＥ）との間で実行されるセルラ通信と、を備える通信システムにおいてＵＥをスケジューリングする方法であって、
前記Ｄ２Ｄ送信機から前記Ｄ２Ｄ受信機への通信が停止しているマージンを示す前記Ｄ２Ｄ通信の停止マージンを取得することと、
セルラスケジューリングを実行するために、前記少なくとも１つのＵＥのターゲット送信電力を、前記停止マージンに基づいて判別することと、を含む、
方法。
【発明の詳細な説明】
【技術分野】
【０００１】
本発明の実施形態は、一般的に通信技術に関する。より具体的には、本発明の実施形態は、デバイス間（Ｄ２Ｄ）通信とセルラ通信とを備える通信システムにおいてユーザ機器（ＵＥ）をスケジューリングする方法及び装置に関する。
【背景技術】
【０００２】
ＧＳＭ（登録商標）やＣＤＭＡ、ＵＭＴＳ、ＬＴＥといった技術を利用するネットワークのような実際の通信ネットワークにおいて、無線通信の利用者の、より速く、より信頼性が高く、より良いマルチメディアに対する需要が高まっている。このような高まる需要に応えるため、より高いスループットを提供できるスキームが研究されてきた。
【０００３】
ここ数年、セルラ・トラフィックをオフロードすることに対する需要が高まったことにより、大多数の事業関係者の関心が、Ｄ２Ｄ通信へと向けられてきた。Ｄ２Ｄ通信の狙いは、この方向を追求することにより、Ｄ２Ｄデバイス（例えば、Ｄ２Ｄ送信機とＤ２Ｄ受信機）に、セルラインフラストラクチャのサポートを受けることなく、もしくは限定的なサポートを受けながら、相互にデータを伝送することを可能にさせることにある。近位のＤ２Ｄデバイスは、高データレート、低遅延、及び低電力伝送を実現できる。その一方、シングルホップ通信は、従来のセルラモードにおけるアップリンク−ダウンリンク伝送を置換し、ネットワークリソースを節約できる。
【発明の概要】
【発明が解決しようとする課題】
【０００４】
周波数帯を効率的に活用するために、同一の周波数帯域が、少なくとも１つのセルラユーザ機器（ＣＵＥ）（以下、ユーザ機器（ＵＥ））とＤ２Ｄデバイスとによって共有されることが許容されている。このような場合、アップリンク・セッション中のセルラ通信によってＤ２Ｄ通信が干渉されるかもしれない。具体的には、ＵＥが、セルを管理するセルラ基地局（ＣＢＳ）（以下、基地局（ＢＳ））に対して伝送を実行しようとする際に、この伝送が、Ｄ２Ｄ受信機と干渉し、Ｄ２Ｄ通信の品質を低下させてしまうかもしれない。この干渉は、通信システムのＤ２Ｄスループットとセルスループットとを大幅に低減する。
【０００５】
上記課題に鑑み、アップリンク・セッション中の、セルラ通信からＤ２Ｄ通信への干渉を低減し、Ｄ２Ｄ通信とセルラ通信との両方を備える通信システムのＤ２Ｄスループット及びセルスループットを改善する必要がある。
【０００６】
本発明は、セルラＵＥをスケジューリングすることによりアップリンク・セルラ通信からＤ２Ｄ通信への干渉を調整する解決手段を提案する。提案される解決手段においては、セルラアップリンク・スケジューリング中に他のＵＥと競合する際に、干渉が強いＵＥが不利となるような、停止を指向する干渉制限要件が提案される。具体的には、本発明は、Ｄ２Ｄ通信を備える通信システムにおいてＵＥをスケジューリングする方法及び装置であって、Ｄ２Ｄ通信とセルラ通信との両方を備える通信システムのＤ２Ｄスループットとセルスループットとを効率的に改善することができる方法及び装置を提供する。
【課題を解決するための手段】
【０００７】
本発明の実施形態の第１の観点によれば、発明の実施形態は、Ｄ２Ｄ通信とセルラ通信とを備える通信システムにおいてＵＥをスケジューリングする方法を提供する。セルラ通信はＢＳと少なくとも１つのＵＥとの間で実行され、Ｄ２Ｄ通信はＤ２Ｄ送信機とＤ２Ｄ受信機との間で実行される。この方法は、Ｄ２Ｄ送信機からＤ２Ｄ受信機への通信が停止しているマージンを示すＤ２Ｄ通信の停止マージンを取得することと、セルラスケジューリングを実行するために、少なくとも１つのＵＥのターゲット送信電力を、停止マージンに基づいて判別することと、を含んでもよい。
【０００８】
本発明の実施形態の第２の観点によれば、発明の実施形態は、Ｄ２Ｄ通信とセルラ通信とを備える通信システムにおいてＵＥをスケジューリングする装置を提供する。セルラ信はＢＳと少なくとも１つのＵＥとの間で実行され、Ｄ２Ｄ通信はＤ２Ｄ送信機とＤ２Ｄ受信機との間で実行される。この装置は、Ｄ２Ｄ送信機からＤ２Ｄ受信機への通信が停止しているマージンを示すＤ２Ｄ通信の停止マージンを取得するように構成された取得部と、セルラスケジューリングを実行するために、少なくとも１つのＵＥのターゲット送信電力を、停止マージンに基づいて判別するように構成された判別部と、を備えてもよい。
【発明の効果】
【０００９】
従来の解決手段に比較して、提案された解決手段は、１つまたは複数のＵＥからＤ２Ｄ  Ｒｘへの潜在的な干渉を軽減し、Ｄ２Ｄリンクの停止がより少なくなると予期される。その一方、提案された解決手段は、Ｄ２Ｄ通信とセルラ通信との両方を備えた通信システムのセルラスループットとともに、スペクトラム効率も効果的に改善する。
【００１０】
本発明の実施形態の他の特徴及び長所は、以下の具体的な実施形態の説明を、本発明の実施形態の原則を例として示す添付図面と合わせて読むことによっても明らかになるであろう。
【００１１】
発明の実施形態は、例として示されており、これらの実施形態の長所は、添付図面を参照しつつ、より詳細に後述されている。
【図面の簡単な説明】
【００１２】
【図１】Ｄ２Ｄ通信とセルラ通信とを備える通信システム１００の模式図である。
【図２】本発明の実施形態に係るＤ２Ｄ通信とセルラ通信とを備える通信システムにおいてＵＥをスケジューリングする方法２００のフローチャートである。
【図３】本発明の実施形態に係るＤ２Ｄ通信の停止マージンを取得する方法３００のフローチャートである。
【図４】本発明の実施形態に係るセルラスケジューリングを実行するために、ＵＥのターゲット送信電力を判別する方法４００のフローチャートである。
【図５】本発明の実施形態に係るセルラスケジューリングを実行するために、ＵＥのターゲット送信電力を判別する方法５００のフローチャートである。
【図６】本発明の実施形態に係るセルラスケジューリングを実行するために、ＵＥのターゲット送信電力を判別する方法６００のフローチャートである。
【図７】本発明の実施形態に係るＤ２Ｄ通信とセルラ通信とを備える通信システムにおいてＵＥをスケジューリングする装置７００のブロック図である。
【発明を実施するための形態】
【００１３】
全ての図面において、同一または類似の参照番号は、同一または類似の要素を示す。
【００１４】
本発明の様々な実施形態が、図面を参照しつつ、詳細に説明されている。フローチャート及びブロック図は、装置や方法とともに、構造、機能、及び本発明の実施形態に係るコンピュータプログラム製品によって実行可能な操作を示す。この点において、フローチャート中の各ブロックまたはブロック図は、特定の論理機能を実行するための１つまたはそれ以上の実行可能な指示を含んだ、モジュール、プログラム、またはコードの一部分を表しうる。いくつかの変形例において、ブロックによって示された機能が、図において示された順序とは異なる順序で起こりうることに留意するべきである。例えば、連続的に描かれた２つのブロックは、関係する機能に依存して、実際には、実質的に並行して実行されたり、逆の順序で実行されたりすることがありうる。ブロック図、及び／または、フローチャート中の各ブロック、及びこれらの組合せは、特定の機能／動作を実行するための専用のハードウェアに基づくシステムによって実現されることもあるし、専用のハードウェアとコンピュータ指示との組合せによって実現されることもある点に留意するべきである。
【００１５】
本発明において、ユーザ機器（ＵＥ）またはセルラユーザ機器（ＣＵＥ）は、端末、移動体端末（ＭＴ）、加入者設備（ＳＳ）、携帯加入者設備（ＰＳＳ）、移動局（ＭＳ）、またはアクセス端末（ＡＴ）を指してもよく、ＵＥ、端末、ＭＴ、ＳＳ、ＰＳＳ、ＭＳ、またはＡＴの、一部または全部の機能が含まれてもよい。本明細書の文脈においては、「ＵＥ」という用語と「ＣＵＥ」という用語とが交換可能であることに留意されたい。
【００１６】
本発明において、基地局（ＢＳ）という用語とセルラ基地局（ＣＢＳ）という用語とは同じ意味を有する。ＢＳまたはＣＢＳは、例えば、ノードＢ（ＮｏｄｅＢまたはＮＢ）、エボルブドノードＢ（ｅＮｏｄｅＢまたはｅＮＢ）、ラジオ・ヘッド（ＲＨ）、リモート・ラジオ・ヘッド（ＲＲＨ）、リレー、フェムトのような低電力ノード、ピコ、またはこの他の適切な任意の装置を表しうる。本明細書の文脈においては、「ＢＳ」という用語と「ＣＢＳ」という用語とが交換可能であることに留意されたい。
【００１７】
本発明の実施形態によれば、通信システムは、ＢＳ、少なくとも１つのＵＥ、Ｄ２Ｄ送信機、及びＤ２Ｄ受信機を備え、ＢＳはセルを管理し、少なくとも１つのＵＥと、Ｄ２Ｄ送信機と、Ｄ２Ｄ受信機と、はこのセル内にある。
【００１８】
Ｄ２Ｄ送信機とＤ２Ｄ受信機とを備えるＤ２Ｄ装置は、従来のユーザ機器と同一または類似していてもよいことに留意されたい。例えば、Ｄ２Ｄ送信機またはＤ２Ｄ受信機は、端末、ＭＴ、ＳＳ、ＰＳＳ、ＭＳ、またはＡＴ等でもよい。いくつかの場合において、近位のＵＥが相互に通信しようとする際に、ＣＢＳからサポートされることなく、または限定的なサポートを受けて、Ｄ２Ｄ通信を実行してもよい。すなわち、Ｄ２Ｄ通信システムにおいて、Ｄ２Ｄ送信機とＤ２Ｄ受信機とは、セルラ通信から独立して相互に通信することができる。他の場合においては、Ｄ２Ｄ装置がＤ２Ｄ通信を実行しないときに、再び、セルラ通信においてＣＢＳを使用するＵＥとなってもよい。
【００１９】
本発明の実施形態は、Ｄ２Ｄ通信とセルラ通信とを両方備える通信システムにおいて、ＵＥをスケジューリングする方法及び装置を提供する。後述するように、いくつかの実施形態においては、１つまたは複数のＵＥからＤ２Ｄ受信機への干渉を、これらのＵＥをスケジューリングする際に、これらのＵＥの修正された電力を考慮することによって軽減することができる。本明細書の文脈において、修正された電力は、ターゲット送信電力とも呼ばれる。セルラスケジューリングを実行するために、ＵＥのターゲット送信電力はＤ２Ｄ通信の停止マージンに基づいて判別すればよい。セルラスケジューリングがターゲット送信電力に基づいて実行されるので、通信システムのＤ２Ｄスループットとセルスループットとは効果的に改善される。ここで、本発明のいくつかの実施形態を、図を参照しながら以下に説明する。
【００２０】
図１を参照すると、図１はＤ２Ｄ通信とセルラ通信とを備える通信システム１００の模式図を示している。
【００２１】
図１の通信システムは、ＧＳＭ（登録商標）システム、ＣＤＭＡシステム、ＵＭＴＳシステム、ＬＴＥシステム等によって実現できる。このシステムは、図示されているとおり、ＢＳ１１０と、ＵＥ１１１と、ＵＥ１１２と、Ｄ２Ｄ送信機１１３と、Ｄ２Ｄ受信機１１４と、を備えている。このシステムにおいて、ＵＥ１１１及びＵＥ１１２はＢＳ１１０を使用しており、具体的には、ＵＥ１１１及びＵＥ１１２は、ＢＳ１１０との間で通信を行っている（すなわち、ＵＥ１１１及びＵＥ１１２は、基地局１１０との間でセルラ通信を行っている）。その一方、Ｄ２Ｄ送信機１１３及びＤ２Ｄ受信機１１４はＤ２Ｄ通信を行っており、具体的には、Ｄ２Ｄ送信機１１３が、Ｄ２ＤデータをＤ２Ｄ受信機１１４へ送信している。Ｄ２Ｄ送信方法は示されている。
【００２２】
図１に示すように、Ｄ２Ｄ通信の間、特にＤ２Ｄ受信機１１４がＤ２ＤデータをＤ２Ｄ送信機１１３から受信している際に、Ｄ２Ｄ受信機１１４は、セルラ通信のアップリンク・セッションにあるＵＥ１１１及び／またはＵＥ１１２からの干渉を受ける可能性がある。
【００２３】
本発明の他の実施形態によれば、通信システムは、ＢＳとの間でセルラ通信を行う１または複数のＵＥを備えることができる点に留意されたい。図１には２つのセルラＵＥ、ＵＥ１１１及びＵＥ１１２、のみが示されているものの、当業者は、これらが例として示されているに過ぎず、制限するために示されているのではないことを認めるであろう。
【００２４】
理解を促進するため、以下の本発明の実施形態は、図１に示した通信システムに基づいて説明される。当業者によって認められるとおり、本発明は他の任意の適切な通信システムに適用でき、図１に示された特定の配置に限定されるものではない。
【００２５】
ここで図２を参照すると、図２は、本発明の実施形態に係るＤ２Ｄ通信とセルラ通信とを備える通信システムにおいてＵＥをスケジューリングする方法３００のフローチャートを示している。本発明の実施形態によれば、ＢＳと少なくとも１つのＵＥとの間でセルラ通信が実行され、Ｄ２Ｄ送信機とＤ２Ｄ受信機との間でＤ２Ｄ通信が実行されればよい。本発明の実施形態によれば、通信システムは、ＧＳＭ（登録商標）システム、ＣＤＭＡシステム、ＵＭＴＳシステム、ＬＴＥシステム等の、図１に図示されたようなシステムによって実現することができる。本発明の実施形態に従って、方法２００は、例えば、基地局、基地局制御機（ＢＳＣ）、ゲートウェイ、リレー、サーバー、セントラルユニット、及び適用可能な任意の他の装置によって実行されうる。
【００２６】
方法２００が開始した後、ステップＳ２０１において、Ｄ２Ｄ通信の停止マージンが取得される。停止マージンは、Ｄ２Ｄ送信機からＤ２Ｄ受信機への通信が停止しているマージンを示す。
【００２７】
本発明の実施形態によれば、数種類の方法によってＤ２Ｄ通信の停止マージンを取得することができる。
【００２８】
本発明のいくつかの実施形態において、停止マージンは、Ｄ２Ｄ送信機のＤ２Ｄ受信機への伝送路損失と、Ｄ２Ｄ送信機の電力リミットと、Ｄ２Ｄ受信機におけるガウス雑音の出力と、を取得し、Ｄ２Ｄ通信の伝送率及びＤ２Ｄ通信の停止確率閾値を調節し、Ｄ２Ｄ送信機のＤ２Ｄ受信機への伝送路損失と、Ｄ２Ｄ電送機の電力リミットと、Ｄ２Ｄ受信機のガウス雑音の出力と、Ｄ２Ｄ通信の伝送率と、Ｄ２Ｄ通信の停止確率閾値と、に基づいて停止マージンを取得することにより、取得することができる。関連する細部は、図３に関する説明において述べられるであろう。
【００２９】
本発明の他のいくつかの実施形態においては、停止マージンは、例えば、通信システムの構成、及び／または、要件、オペレータやプロバイダ、ベンダの経験に従って、予め設定するか、または予め判別しておくことができる。
【００３０】
ステップＳ２０２において、セルラスケジューリングを実行するために、少なくとも１つのＵＥのターゲット送信電力が停止マージンに基づいて判別される。
【００３１】
本発明の実施形態によれば、少なくとも１つのＵＥのターゲット送信電力を、停止マージンに基づいて複数の方法で判別し、続いて行われるセルラスケジューリングが、ターゲット送信電力を、セルラ通信からＤ２Ｄ通信への干渉を低減するために利用できるようにすることができる。
【００３２】
本発明の実施形態によれば、少なくとも１つのＵＥのうち１つのＤ２Ｄ受信機への伝送路損失を最初に取得し、次に、この少なくとも１つのＵＥのうち１つによって引き起こされた停止確率が停止確率閾値を超えるか否かを、取得された伝送路損失と停止マージンとに基づいて判別し、そして、この少なくとも１つのＵＥのうち１つのターゲット送信電力を、この少なくとも１つのＵＥのうち１つによって引き起こされた停止確率が停止確率閾値を超えると判別されたことに応答して、ゼロに設定することができる。この方法によれば、少なくとも１つのＵＥのターゲット送信電力が、続くセルラスケジューリングにおいて用いられると判別されうる。関連する細部については、図４に関する説明において述べられるであろう。
【００３３】
本発明の実施形態によれば、少なくとも１つのＵＥのターゲット送信電力は以下のように判別することができる。まず、少なくとも１つのＵＥのうち１つのＤ２Ｄ受信機への伝送路損失が最初に取得される。ＵＥ数リミットに従って、停止マージンを調整することができる。ここで、ＵＥ数リミットは、セルラスケジューリングに関与する１つまたは複数のＵＥの上限を示す。この少なくとも１つのＵＥのうち１つによって引き起こされた停止確率が停止確率閾値を超えるか否かを、取得された伝送路損失と、調節された停止マージンと、に基づいて判別することができる。そして、この少なくとも１つのＵＥのうち１つによって引き起こされた停止確率が停止確率閾値を超えると判別されたことに応答して、この少なくとも１つのＵＥのうち１つのターゲット送信電力をゼロに設定する。関連する細部については、図５の説明において述べられるであろう。
【００３４】
本発明の実施形態において、少なくとも１つのＵＥのターゲット送信電力は、例えば、少なくとも１つのＵＥのうち１つのＤ２Ｄ受信機への伝送路損失と、この少なくとも１つのＵＥのうち１つの全電力と、を取得し、停止マージンを、セルラスケジューリングに関与する１つまたは複数のＵＥの上限を示すＵＥ数リミットに従って停止マージンを調整し、この少なくとも１つのＵＥのうち１つのターゲット送信電力を、取得された伝送路損失と、取得された全電力と、調整された停止マージンと、に基づいて判別することにより判別されうる。関連する細部については、図６の説明において述べられるであろう。
【００３５】
ＵＥのターゲット送信電力を判別するための他の解決手段があるかもしれず、上述の実施形態は、例示的に記載されたものであり、制限的に記載されたものではないことに留意されたい。
【００３６】
本発明の実施形態によれば、Ｄ２Ｄ送信機がまずその全電力を供給し、マージンをＤ２Ｄ受信機側において平等に分割すると想定されている。この方法によれば、Ｄ２Ｄ受信機に近い各ＵＥ（ＣＵＥ）の電力リミットを得ることができる。セルラネットワークスケジューラ、例えばＢＳ（ＣＢＳ）は、各ＣＵＥからのこの電力リミットについて判別を行い、セルラスループットに最も大きく寄与する可能性のあるＣＵＥのグループを選択する。
【００３７】
ここで図３を参照すると、図３は本発明の実施形態に係るＤ２Ｄ通信の停止マージンを取得する方法３００を示している。図３に示されたフローチャートは、停止マージンを取得する処理を示しており、この処理は、図２に示された方法２００のステップＳ２０１を実現するための実施形態である。
【００３８】
ステップＳ３０１において、Ｄ２Ｄ送信機からＤ２Ｄ受信機への伝送路損失と、Ｄ２Ｄ送信機の電力リミットと、Ｄ２Ｄ受信機におけるガウス雑音の出力と、が取得される。
【００３９】
本発明の実施形態によれば、Ｄ２Ｄ送信機からＤ２Ｄ受信機への伝送路損失は、Ｄ２Ｄ受信機において、Ｄ２Ｄ送信機から参照信号を受信し、一定期間に受信した参照信号に基づいて伝送路損失を算出することによって取得できる。あるいは、伝送路損失は、Ｄ２Ｄ送信機及びＤ２Ｄ受信機のＧＰＳ情報に基づいて算出することもできる。さらに、伝送路損失は、当該技術分野において知られている適切な手段または方法に従って取得することもできる。
【００４０】
ＵＥの電力リミットは、例えば、既存の、または将来の通信規格において、あるいは通信システムの構成、及び／または、要件、オペレータ、プロバイダ、ベンダの経験等に従って、予め設定しておくか、または予め判別しておけばよい。例えば、Ｄ２Ｄ送信機の電力リミットは、ＬＴＥシステムに付随する基準において予め設定しておくか、または予め決めておくことができる。
【００４１】
Ｄ２Ｄ受信機におけるガウス雑音の出力は、参照信号に基づいて取得することができる。当業者であれば、ガウス雑音の出力を取得する方法が複数存在することは容易に理解できるため、本明細書の文脈において詳細は述べない。
【００４２】
ステップＳ３０２において、Ｄ２Ｄ通信の伝送率とＤ２Ｄ通信の停止確率閾値とが調節される。
【００４３】
本発明の実施形態によれば、Ｄ２Ｄ通信の伝送率と停止確率閾値とは、複数の方法で調節することができる。例えば、伝送率、及び／または、停止確率閾値は、通信システムの構成、及び／または、要件、オペレータ、プロバイダ、ベンダの経験等に従って、予め設定するか予め決めておくことができる。
【００４４】
本発明の実施形態によれば、伝送率はＤ２Ｄデバイスの速度要件を示し、Ｄ２Ｄデバイスの速度要件は、Ｄ２Ｄ受信機における停止確率閾値速度でもある。本発明の実施形態によれば、Ｄ２Ｄ通信の停止確率閾値は、Ｄ２Ｄリンクの停止確率制限を示す。停止は、停止確率閾値（例えば、５％前後）を上回らないこととすればよい。
【００４５】
ステップＳ３０３において、停止マージンは、Ｄ２Ｄ送信機からＤ２Ｄ受信機への伝送路損失と、Ｄ２Ｄ送信機の電力リミットと、Ｄ２Ｄ受信機におけるガウス雑音の出力と、Ｄ２Ｄ通信の伝送率と、Ｄ２Ｄ通信の停止確率閾値と、に基づいて取得される。
【００４６】
本発明のいくつかの実施形態において、Ｄ２Ｄ送信機からＤ２Ｄ受信機への伝送路損失はｇｄ￣と、Ｄ２Ｄ送信機の電力リミットはＰｄと、Ｄ２Ｄ受信機におけるガウス雑音の出力はσ２と、Ｄ２Ｄ通信の伝送率はＲｄと、Ｄ２Ｄ通信の停止確率閾値はεと、それぞれ表される。停止マージンはＯＭと表され、下記の式（１）により算出することができる。
【数１】
2015515772.tif 000003
【００４７】
停止マージンは式（１）の他にも、複数の他の方法によって算出することができ、上述の式（１）は限定するのではなく例を示すものであることに留意されたい。
【００４８】
ここで図４を参照して、図４は本発明の実施形態に係るセルラスケジューリングを実行するためにＵＥのターゲット送信電力を判別する方法４００のフローチャートを示している。図４に示すフローチャートは、セルラスケジューリングのために、１つまたは複数のＵＥのターゲット送信電力を判別する処理を示しており、この処理は、図２に示された方法２００のステップＳ２０２を実現するための実施形態である。
【００４９】
方法４００が開始した後、ステップＳ４０１において、少なくとも１つのＵＥのうち１つのＤ２Ｄ受信機への伝送路損失が取得される。
【００５０】
本発明の実施形態によれば、少なくとも１つのＵＥのうち１つのＤ２Ｄ受信機への伝送路損失は、複数の方法により取得することができる。実施形態の１つでは、Ｄ２Ｄ受信機が、まず、Ｄ２Ｄ受信機が少なくとも１つのＵＥのうち１つのＤ２Ｄ受信機への伝送路損失を取得するように、少なくとも１つのＵＥのうち１つからＢＳへ伝送された参照信号を聴取するようにＤ２Ｄ受信機へ通知がなされる。そして次に、少なくとも１つのＵＥのうち１つのＤ２Ｄ受信機への伝送路損失が、Ｄ２Ｄ受信機から取得される。例えば、ＵＥが参照信号（例えば、音声参照信号（ＳＲＳｓ））を送出する前に、ＢＳがＳＲＳｓを聴取するようにＤ２Ｄ受信機へ通知すればよい。通知を受信すると、Ｄ２Ｄ受信機は、ＳＲＳｓを聴取し、聴取結果に基づいて少なくとも１つのＵＥのうち１つのＤ２Ｄ受信機への伝送路損失を取得し、取得した伝送路損失をＢＳへ報告する。このような方法によれば、ＢＳは、少なくとも１つのＵＥのうち１つのＤ２Ｄ受信機への伝送路損失をＤ２Ｄ受信機から取得できる。
【００５１】
本発明の実施形態によれば、Ｎ（Ｎは１以上の整数）個のセルラＵＥが通信システムに含まれると想定され、ｉ番目のＵＥのＤ２Ｄ受信機への伝送路損失はｇｉ，ｄ￣と表される。ここで、ｉ＝１，…，Ｎである。
【００５２】
ステップＳ４０２において、取得された伝送路損失と停止マージンとに基づいて、少なくとも１つのＵＥうち１つによって引き起こされた停止確率が停止確率閾値を超えるか否かが判別される。
【００５３】
本発明の実施形態によれば、１つのＵＥによって引き起こされた停止確率が停止確率閾値を超えるか否かを判別するための方法は、Ｄ２Ｄリンク停止から停止確率閾値εの資格を取り上げることができるＵＥを判別することによって実現できる。すなわち、ｉ番目のＵＥについて、もしもｉ番目のＵＥのＤ２Ｄ受信機への伝送路損失が、停止マージンに基づいて取得される伝送路損失閾値を超えていれば、このｉ番目のＵＥは、停止確率閾値εを上回る停止確率を引き起こすＵＥであると見なすことができる。停止確率は、ＵＥからの干渉がＤ２Ｄ通信を停止させる確率を示しうる。
【００５４】
本発明の実施形態によれば、ＵＥのＤ２Ｄ通信への伝送路損失と比較される伝送路損失閾値は、下記の式（２）によって示すことができる。 
【数２】
2015515772.tif 000004
このため、ｉ番目のＵＥは、下記の式（３）を満たせば、停止確率閾値を上回る停止確率を引き起こすＵＥであると見なされうる。 
【数３】
2015515772.tif 000005
【００５５】
ステップＳ４０３において、少なくとも１つのＵＥのうち１つによって引き起こされた停止確率が停止確率閾値を超えると判別されたことに応答して、この少なくとも１つのＵＥのうち１つのターゲット送信電力がゼロに設定される。
【００５６】
上述の実施形態に関して、ｉ番目のＵＥが停止確率閾値を上回る停止確率を引き起こすと判別されたことに応答して、このｉ番目のＵＥはを１つまたは複数のセルラＵＥの中から選択することができる。続いて、ｉ番目のＵＥのターゲット送信電力をゼロに設定すればよい。この方法によれば、選択されたＵＥ（例えば、ｉ番目のＵＥ）は、セルラスケジューリングにおいて考慮に入れられることがない。
【００５７】
Ｎ個のＵＥ全てについて、ステップＳ４０２−Ｓ４０３を相互作用的に実行することにより判断できることに留意されたい。
【００５８】
ここで図５を参照して、図５は本発明の実施形態に係るセルラスケジューリングを実行するためにＵＥのターゲット送信電力を判別する方法５００のフローチャートを示している。図５に示すフローチャートは、セルラスケジューリングのために１つまたは複数のＵＥのターゲット送信電力を判別する処理を示しており、この処理は、図２に示された方法２００のステップＳ２０２を実現するための実施形態である。
【００５９】
方法５００が開始した後、ステップＳ５０１において、少なくとも１つのＵＥのうち１つのＤ２Ｄ受信機への伝送路損失が取得される。
【００６０】
方法５００のステップＳ５０１は、上述した方法４００のステップＳ４０１に対応する。ステップＳ４０１と同様に、少なくとも１つのＵＥのうち１つのＤ２Ｄ受信機への伝送路損失をステップＳ５０１において取得すればよい。
【００６１】
ステップＳ５０２において、停止マージンが、ＵＥ数リミットに従って調整される。ここで、ＵＥ数リミットは、セルラスケジューリングに関与する１つまたは複数のＵＥの上限を示す。
【００６２】
上述した通り、停止マージンは、Ｄ２Ｄ送信機からＤ２Ｄ受信機への通信が停止しているマージンを示す。図２とともに示された実施形態は、停止マージンを取得するための処理を例示的に説明している。当業者であれば、停止マージンを他の複数の手段により取得できることを認めるであろう。
【００６３】
本発明の実施形態によれば、ＵＥ数リミットは、セルラスケジューリングに関与する１つまたは複数のＵＥの上限を示す。具体的には、ＵＥ数リミットは、（複数のアンテナを備える）ＢＳによって同時にサポートされうるＵＥの総数の上限である。例えば、全部で１０のＵＥがあり、１つのＵＥが１つのアンテナを備えているものの、ＢＳが４つしかＴｘ／Ｒｘアンテナを備えていないと仮定すると、ＵＥ数リミットは４である。
【００６４】
本発明の実施形態によれば、停止マージンは、後述する複数の方法により調整することができる。
【００６５】
例えば、停止マージンをＵＥ数リミットによって除算することにより平均停止マージンを算出し、この平均停止マージンにより停止マージンを更新することができる。具体的には、調整された停止マージン（ＯＭadjustと表される）は下記の式（４）により取得できる。
【数４】
2015515772.tif 000006
ここで|Ｓ|は、セルラスケジューリングに関与する１つまたは複数のＵＥの上限を示すＵＥ数リミットを表す。
【００６６】
他の例によれば、停止マージンは、停止マージンをＵＥ数リミットによって除算することにより平均停止マージンを算出し、少なくとも１つのＵＥそれぞれについて、伝送路損失または少なくとも１つのＵＥそれぞれのＤ２Ｄ受信機への平均チャネルゲインに基づいて重みを算出し、算出された重みによって平均停止マージンを重み付けし、停止マージンを重み付けされた平均停止マージンによって更新することにより調整できる。
【００６７】
ステップＳ５０３において、少なくとも１つのＵＥのうち１つによって引き起こされた停止確率が停止確率閾値を超えるか否かが、取得された伝送路損失と調整された停止マージンとに基づいて判別される。
【００６８】
図４との関連において示された実施形態とは異なり、図５に係る実施形態においては、少なくとも１つのＵＥのうち１つによって引き起こされた停止確率が停止確率閾値を超えるか否かを判別する別の方法が紹介されている。具体的には、ｉ番目のＵＥについて、ｉ番目のＵＥのＤ２Ｄ受信機への伝送路損失が、調整された停止マージンに基づいて取得された伝送路損失閾値を超えていれば、このｉ番目のＵＥを、停止確率閾値を超える停止確率を引き起こすＵＥと見なすことができる。
【００６９】
図５に示すように、Ｄ２Ｄ不適格は、単一のＵＥからではなく、スケジュールされた全てのＵＥの合計によって寄与される。従って、ＵＥがＤ２Ｄ通信を不利に陥らせるおそれがあるか否かを判別する際に、最初に取得されたままの停止マージンの代わりに、調整された停止マージンが用いられる。ゆえに、停止マージンを均等に分割することにより、伝送路損失閾値は下記の式（５）によって定めることができる。 
【数５】
2015515772.tif 000007
この方法によれば、ｉ番目のＵＥは、下記の式（６）を満たせば、停止確率閾値を超える停止確率を引き起こすＵＥの組（Ｓと表される）に属していると見なされる。 
【数６】
2015515772.tif 000008
【００７０】
ステップＳ５０４において、少なくとも１つのＵＥのうち１つによって引き起こされた停止確率が停止確率閾値を超えると判別されたことに応答して、この少なくとも１つのＵＥのうち１つのターゲット送信電力がゼロに設定される。
【００７１】
方法５００のステップＳ５０４は、上述した方法４００のステップＳ４０３に対応する。ステップＳ４０３と同様に、停止確率閾値を超える停止確率を生起するＵＥのターゲット送信電力が、ステップＳ５０４においてゼロに設定され、このＵＥはセルラスケジューリングから除外される。
【００７２】
ここで図６を参照して、図６は本発明の実施形態に係るセルラスケジューリングを実行するためにＵＥのターゲット送信電力を判別する方法６００のフローチャートを示している。図６に示すフローチャートは、セルラスケジューリングのために１つまたは複数のＵＥのターゲット送信電力を判別する処理を示しており、この処理は、図２に示された方法２００のステップＳ２０２を実現するための実施形態である。
【００７３】
方法６００が開始した後、ステップＳ６０１において、少なくとも１つのＵＥのうち１つのＤ２Ｄ受信機への伝送路損失と、少なくとも１つのＵＥのうち１つの全電力と、が取得される。
【００７４】
ステップＳ４０１と同様に、少なくとも１つのＵＥのうち１つのＤ２Ｄ受信機への伝送路損失がステップＳ６０１において取得され、ｇｉ，ｄ￣と表される。ここで、ｉは、ｉ番目のＵＥを示す。さらに、少なくとも１つのＵＥの全電力が取得され、Ｐｃ￣と表される。
【００７５】
ステップＳ６０２において、停止マージンがＵＥ数リミットに従って調整される。ここで、ＵＥ数リミットは、セルラスケジューリングに関与する１つまたは複数のＵＥの上限を示す。
【００７６】
方法６００のステップＳ６０２は、上述した方法５００のステップＳ５０２に対応する。ステップＳ５０２と同様に、停止マージンはステップＳ６０２において複数の方法で調整することができる。
【００７７】
ステップＳ６０３において、少なくとも１つのＵＥのうち１つのターゲット送信電力が、取得された伝送路損失と、取得された全電力と、調整された停止マージンと、に基づいて判別される。
【００７８】
図６に係る実施形態において、停止確率閾値を超える停止確率を生起するＵＥのターゲット送信電力は、もはやゼロに設定されることはない。その代わり、少なくとも各ＵＥについて、適切な電力リミットがターゲット送信電力として判別される。このため、ＵＥは厳密にセルラ通信から禁止されることはない。
【００７９】
実施形態において、調整された停止マージンが式（４）の形式であれば、ｉ番目のＵＥのターゲット送信電力（Ｐｉ，ｃ￣と表される）は、下記の式（７）に基づいて判別できる。
【数７】
2015515772.tif 000009
【００８０】
このため、ｉ番目のＵＥの全電力Ｐｃ￣と、取得された伝送路損失ｇｉ，ｄ￣と、調整された停止マージン（−（σ２／λ0）−ｌｏｇ（１−ε））／|Ｓ|とに基づいて取得されたパラメータと、を比較することにより、最小はｉ番目のＵＥのターゲット送信電力として判別することができる。
【００８１】
ここで図７を参照して、図７は本発明の実施形態に係るＤ２Ｄ通信及びセルラ通信を含む通信システムにおいてＵＥをスケジューリングする装置７００のブロック図を示している。本発明の実施形態によれば、セルラ通信はＢＳと少なくとも１つのＵＥとの間で実行され、Ｄ２Ｄ通信はＤ２Ｄ送信機とＤ２Ｄ受信機との間で実行されうる。本発明の実施形態によれば、通信システムは、ＧＳＭ（登録商標）システム、ＣＤＭＡシステム、ＵＭＴＳシステム、ＬＴＥシステム等、図１に示すようなシステムによって実現することができる。本発明の実施形態によれば、装置７００は、例えば、基地局、基地局制御機（ＢＳＣ）、ゲートウェイ、リレー、サーバー、または他の利用可能なデバイスにおいて実現することができる。
【００８２】
示されている通り、装置７００は、Ｄ２Ｄ通信の、Ｄ２Ｄ送信機からＤ２Ｄ受信機への通信が停止しているマージンを示す停止マージンを取得するように構成された取得部７１０と、セルラスケジューリングを実行するために、少なくとも１つのＵＥのターゲット送信電力を停止マージンに基づいて判別するように構成された判別部７２０と、を備える。
【００８３】
本発明の実施形態によれば、装置７００の取得部７１０は、Ｄ２Ｄ送信機のＤ２Ｄ受信機への伝送路損失と、Ｄ２Ｄ送信機の電力リミットと、Ｄ２Ｄ受信機におけるガウス雑音の出力と、を取得するように構成された第１の取得手段と、Ｄ２Ｄ通信の伝送率とＤ２Ｄ通信の停止確率閾値とを調節するように構成された調節手段と、Ｄ２Ｄ送信機のＤ２Ｄ受信機への伝送路損失と、Ｄ２Ｄ送信機の送信電力の電力リミットと、Ｄ２Ｄ受信機におけるガウス雑音の出力と、Ｄ２Ｄ通信の伝送率と、Ｄ２Ｄ通信の停止確率閾値と、に基づいて停止マージンを取得するように構成された取得手段と、を備えてもよい。
【００８４】
本発明の実施形態によれば、装置７００の判別部７２０は、少なくとも１つのＵＥのうち１つのＤ２Ｄ受信機への伝送路損失を取得するように構成された第２の取得手段と、この少なくとも１つのＵＥのうち１つによって引き起こされた停止確率が停止確率閾値を超えるか否かを、取得された伝送路損失と停止マージンとに基づいて判別するように構成された第１の判別手段と、この少なくとも１つのＵＥのうち１つによって引き起こされた停止確率が停止確率閾値を超えると判別されたことに応答して、この少なくとも１つのＵＥの１つのターゲット送信電力をゼロに設定するように構成された第１の設定手段と、を備えてもよい。
【００８５】
本発明の実施形態によれば、装置７００の判別部７２０は、少なくとも１つのＵＥのうち１つのＤ２Ｄ受信機への伝送路損失を取得するように構成された第３の取得手段と、セルラスケジューリングに関与する１つまたは複数のＵＥの上限を示すＵＥ数リミットに従って停止マージンを調整するように構成された第１の調整手段と、少なくとも１つのＵＥのうち１つによって引き起こされた停止確率が停止確率閾値を超えるか否かを、取得された伝送路損失と調整された停止マージンとに基づいて判別するように構成された第２の判別手段と、この少なくとも１つのＵＥうち１つによって引き起こされた停止確率が停止確率閾値を超えると判別されたことに応答して、この少なくとも１つのＵＥのうち１つのターゲット送信電力をゼロに設定するように構成された第２の設定手段と、を備えてもよい。
【００８６】
本発明の実施形態によれば、装置７００の判別部７２０は、少なくとも１つのＵＥのうち１つのＤ２Ｄ受信機への伝送路損失と、この少なくとも１つのＵＥのうち１つの全電力と、を取得するように構成された第４の取得手段と、セルラスケジューリングに関与する１つまたは複数のＵＥの上限を示す停止マージンをＵＥ数リミットに従って調整するように構成された第２の調整手段と、この少なくとも１つのＵＥのうち１つのターゲット送信電力を、取得された伝送路損失と、取得された全電力と、調整された停止マージンと、に基づいて判別するように構成された第３の判別手段と、を備えてもよい。
【００８７】
本発明の実施形態によれば、第１の調整手段または第２の調整手段は、停止マージンをＵＥ数リミットによって除算することにより平均停止マージンを算出するように構成された第１の算出手段と、停止マージンを平均停止マージンによって更新するように構成された第１の更新手段と、を備えてもよい。
【００８８】
本発明の実施形態によれば、第１の調整手段または第２の調整手段は、停止マージンをＵＥ数リミットによって除算することにより平均停止マージンを算出するように構成された第２の算出手段と、少なくとも１つのＵＥそれぞれについて、伝送路損失または少なくとも１つのＵＥそれぞれのＤ２Ｄ受信機へのチャネルゲインに基づいて重みを算出するように構成された第３の算出手段と、算出された重みによって平均停止マージンを重み付けするように構成された重み付け手段と、重み付けされた平均停止マージンによって停止マージンを更新するように構成された第２の更新手段と、を備えてもよい。
【００８９】
本発明の実施形態によれば、第２の取得手段、第３の取得手段、または第４の取得手段は、Ｄ２Ｄ受信機が少なくとも１つのＵＥのうち１つのＤ２Ｄ受信機への伝送路損失を取得するように、少なくとも１つのＵＥのうち１つからＢＳへ送信された参照信号を聴取するようにＤ２Ｄ受信機に通知するように構成された通知手段と、この少なくとも１つのＵＥのうち１つのＤ２Ｄ受信機への伝送路損失をＤ２Ｄ受信機から取得するように構成された第５の取得手段と、を備えてもよい。
【００９０】
装置７００は、図２〜６を参照して説明した機能を実現するように構成されうることに留意されたい。従って、方法２００、３００、４００、５００、及び６００の何れかに関して説明した特徴は、装置７００の対応する構成要素にも当てはめることができる。さらに、装置７００の構成要素は、ハードウェア、ソフトウェア、ファームウェア、及び／または、これらの任意の組み合わせにおいて実現することができる。例えば、装置７００の構成要素は、回路、プロセッサ、または他の任意の適切な選択デバイスによって個別に実現することができる。当業者は、上述の例は例示するものに過ぎず制限するものでないことが理解できるであろう。
【００９１】
本発明の実施形態によれば、装置７００は少なくとも１つのプロセッサを備えている。本発明の実施形態において使用するのに好適なこの少なくとも１つのプロセッサは、例えば、既知の、または将来開発される汎用プロセッサ及び特殊用途プロセッサの両方を含むことができる。装置７００は、少なくとも１つのメモリをさらに備える。この少なくとも１つのメモリは、例えば、半導体メモリデバイス（例えば、ＲＡＭ、ＲＯＭ、ＥＰＲＯＭ、ＥＥＰＲＯＭ、及びフラッシュメモリデバイス）を含んでもよい。この少なくとも１つのメモリは、コンピュータが実行可能な指示のプログラムを記憶するために用いることができる。このプログラムは、任意の高級、及び／または、低級の、コンパイル可能な、または解釈可能なプログラミング言語によって記述することができる。実施形態によれば、このコンピュータが実行可能な指示は、少なくとも１つのプロセッサとともに、装置７００を少なくとも上述の方法２００〜６００の何れかに従って実行させるように構成することができる。
【００９２】
上記を考慮して、本発明の実施形態に係る方法、及び／または、装置によれば、Ｄ２Ｄ通信とセルラ通信との両方を備えた通信システムのスループットが大幅に改善されると当業者は認めるであろう。
【００９３】
上述の説明に基づいて、当業者は、本発明は、装置、方法、またはコンピュータプログラム製品において実現できることに思い至るであろう。一般に、様々な実施例が、ハードウェア、特殊用途回路、ソフトウェア、論理、またはこれらの任意の組み合わせにおいて実現することができる。例えば、一部の側面がハードウェアにおいて実現される一方、他の側面は、ファームウェア、または制御機、マイクロプロセッサ、または他の計算デバイスによって実行可能なソフトウェアによって実現することができる。ただし、発明はこれに限定されるものではない。本発明の実施例の複数の側面はブロック図、フローチャートとして示され説明され、または他の視覚的表現を用いて示され説明されているものの、ここで示されたこれらのブロック、デバイス、システム、技術または方法は、非制限的な例として、ハードウェア、ソフトウェア、ファームウェア、特殊用途回路または論理、汎用ハードウェア、または制御機、またはその他の計算デバイス、またはこれらのいくつかの組み合わせにおいて実現することができる。
【００９４】
図２〜６において示された様々なブロックは、方法のステップとして、及び／またはコンピュータプログラムのコードの操作によって生じる操作として、及び／または対応付けられた機能を実行するように構成された、複数の組み合わされた論理回路の要素として、見なすことができる。本発明の実施形態の少なくともいくつかの側面は、集積回路チップ及びモジュールのような様々な構成要素において実現でき、本発明の実施形態は、本発明の実施形態に従って動作するように構成可能な集積回路、ＦＰＧＡ、またはＡＳＩＣとして実現されたデバイスにおいて実現できる。
【００９５】
本明細書は多くの具体的な実施形態の細部を含んでいるものの、これらはいかなる発明の、または請求に係りうるものの範囲を制限するものとして解されるべきではなく、むしろ、発明の特定の実施形態に特有であるかもしれない特徴の説明として解されるべきである。本明細書において異なる実施形態の文脈において説明された特定の特徴は、また、単一の実施形態において組み合わせて実現することができる。反対に、単一の実施形態の文脈において説明された様々な特徴もまた、複数の実施形態において個別に、または任意の適切なサブ組み合わせにおいて実現されうる。さらに、特徴が特定の組み合わせにおいて動作するものとして上述されていたとしても、そして当初はそのように請求されたとしても、請求された組み合わせが含む１つまたは複数の特徴は、いくつかの場合において、組み合わせから切り離されることがありえ、請求された組み合わせはサブ組み合わせまたはサブ組み合わせの変形に方向付けられることがある。
【００９６】
同様に、図において操作は特定の順序で描かれているものの、これは、所期の結果を達成するために、そのような操作が示されたこの特定の順序に従ってまたは連続的な順序において、実行されることが要求されるものとも、示された全ての操作が実行されることが要求されるものとも解されるべきではない。特定の環境では、マルチタスキング及び並行処理が有利であるかもしれない。さらに、上述した実施形態における様々なシステムの構成要素の区切りは、全ての実施形態においてこのような区切りを要求するものと理解されるべきではなく、説明されたプログラム構成要素及びシステムは、一般に、単一のソフトウェア製品に統合され、または複数のソフトウェア製品にパッケージされうることが理解されるべきである。
【００９７】
本発明の上述の実施例に対する様々な変更、適応は、上述の説明を、添付図面と合わせて読むことによって当業者に明らかとなる。任意の、そして全ての変更は、本発明の非制限的で例示的な実施形態の範囲になお含まれる。さらに、当業者は、本発明のこれらの実施形態が上述の説明及び添付図面において示された教訓の利益を含んでいるため、ここで示された本発明の他の実施形態を想到するであろう。
【００９８】
従って、発明の実施形態は開示された特定の実施形態に限定されるものではなく、変更及び他の実施形態は付属の請求項の範囲に含まれることが意図されていることが理解されるべきである。ここでは特定の用語が用いられているものの、これらは一般的かつ記述的な意味においてのみ用いられ、制限する目的では用いられていない。
【００９９】
（付記１）
Ｄ２Ｄ送信機とＤ２Ｄ受信機との間で実行されるデバイス間（Ｄ２Ｄ）通信と、基地局（ＢＳ）と少なくとも１つのユーザ機器（ＵＥ）との間で実行されるセルラ通信と、を備える通信システムにおいてＵＥをスケジューリングする方法であって、
前記Ｄ２Ｄ送信機から前記Ｄ２Ｄ受信機への通信が停止しているマージンを示す前記Ｄ２Ｄ通信の停止マージンを取得することと、
セルラスケジューリングを実行するために、前記少なくとも１つのＵＥのターゲット送信電力を、前記停止マージンに基づいて判別することと、を含む、
方法。
【０１００】
（付記２）
前記Ｄ２Ｄ通信の停止マージンを取得することは、
前記Ｄ２Ｄ送信機の前記Ｄ２Ｄ受信機への伝送路損失と、前記Ｄ２Ｄ送信機の電力リミットと、前記Ｄ２Ｄ受信機におけるガウス雑音の出力と、を取得することと、
前記Ｄ２Ｄ通信の伝送率と前記Ｄ２Ｄ通信の停止確率閾値とを調節することと、
前記停止マージンを、前記Ｄ２Ｄ送信機の前記Ｄ２Ｄ受信機への前記伝送路損失と、前記Ｄ２Ｄ送信機の前記電力リミットと、前記Ｄ２Ｄ受信機における前記ガウス雑音の出力と、前記Ｄ２Ｄ通信の前記伝送率と、前記Ｄ２Ｄ通信の前記停止確率閾値と、に基づいて取得することと、を含む、
付記１に記載の方法。
【０１０１】
（付記３）
セルラスケジューリングを実行するために、前記少なくとも１つのＵＥのターゲット送信電力を、前記停止マージンに基づいて判別することは、
前記少なくとも１つのＵＥのうち１つの前記Ｄ２Ｄ受信機への伝送路損失を取得することと、
前記少なくとも１つのＵＥのうち１つによって引き起こされた停止確率が停止確率閾値を超えるか否かを、前記取得された伝送路損失と前記停止マージンとに基づいて判別することと、
前記少なくとも１つのＵＥのうち１つによって引き起こされた前記停止確率が前記停止確率閾値を超えると判別されたことに応答して、前記少なくとも１つのＵＥのうち１つの前記ターゲット送信電力をゼロに設定することと、を含む、
付記１に記載の方法。
【０１０２】
（付記４）
セルラスケジューリングを実行するために、前記少なくとも１つのＵＥのターゲット送信電力を、前記停止マージンに基づいて判別することは、
前記少なくとも１つのＵＥのうち１つの前記Ｄ２Ｄ受信機への伝送路損失を取得することと、
前記セルラスケジューリングに関与する１つまたは複数のＵＥの上限を示すＵＥ数リミットに従って前記停止マージンを調整することと、
前記少なくとも１つのＵＥのうち１つによって引き起こされた停止確率が停止確率閾値を超えるか否かを、前記取得された伝送路損失と前記調整された停止マージンとに基づいて判別することと、
前記少なくとも１つのＵＥのうち１つによって引き起こされた前記停止確率が前記停止確率閾値を超えると判別されたことに応答して、前記少なくとも１つのＵＥのうち１つの前記ターゲット送信電力をゼロに設定することと、を含む、
付記１に記載の方法。
【０１０３】
（付記５）
セルラスケジューリングを実行するために、前記少なくとも１つのＵＥのターゲット送信電力を、前記停止マージンに基づいて判別することは、
前記少なくとも１つのＵＥのうち１つの前記Ｄ２Ｄ受信機への伝送路損失と、前記少なくとも１つのＵＥのうち１つの全電力と、を取得することと、
前記セルラスケジューリングに関与する１つまたは複数のＵＥの上限を示すＵＥ数リミットに従って前記停止マージンを調整することと、
前記少なくとも１つのＵＥのうち１つの前記ターゲット送信電力を、前記取得された伝送路損失と、前記取得された全電力と、前記調整された停止マージンと、に基づいて判別することと、を含む、
付記１に記載の方法。
【０１０４】
（付記６）
前記停止マージンをＵＥ数リミットに従って調整することは、
前記停止マージンを前記ＵＥ数リミットによって除算することにより平均停止マージンを算出することと、
前記停止マージンを前記平均停止マージンによって更新することと、を含む、
付記４または５に記載の方法。
【０１０５】
（付記７）
前記停止マージンをＵＥ数リミットに従って調整することは、
前記停止マージンを前記ＵＥ数リミットによって除算することにより平均停止マージンを算出することと、
前記少なくとも１つのＵＥそれぞれの重みを、伝送路損失または前記少なくとも１つのＵＥそれぞれの前記Ｄ２Ｄ受信機への平均チャネルゲインに基づいて算出することと、
前記算出された重みによって前記平均停止マージンを重み付けすることと、
前記重み付けされた平均停止マージンによって前記停止マージンを更新することと、を含む、
付記４または５に記載の方法。
【０１０６】
（付記８）
前記少なくとも１つのＵＥのうち１つの前記Ｄ２Ｄ受信機への伝送路損失を取得することは、
Ｄ２Ｄ受信機が前記少なくとも１つのＵＥのうち１つの前記Ｄ２Ｄ受信機への伝送路損失を取得するように、前記少なくとも１つのＵＥのうち１つから前記ＢＳへ送信された参照信号を聴取するように前記Ｄ２Ｄ受信機へ通知することと、
前記少なくとも１つのＵＥのうち１つの前記Ｄ２Ｄ受信機への前記伝送路損失を前記Ｄ２Ｄ受信機から取得することと、を含む、
付記３乃至５の何れか１つに記載の方法。
【０１０７】
（付記９）
Ｄ２Ｄ送信機とＤ２Ｄ受信機との間で実行されるデバイス間（Ｄ２Ｄ）通信と、基地局（ＢＳ）と少なくとも１つのユーザ機器（ＵＥ）との間で実行されるセルラ通信と、を備える通信システムにおいてＵＥをスケジューリングする装置であって、
前記Ｄ２Ｄ送信機から前記Ｄ２Ｄ受信機への通信が停止しているマージンを示す前記Ｄ２Ｄ通信の停止マージンを取得するように構成された取得部と、
セルラスケジューリングを実行するために、前記少なくとも１つのＵＥのターゲット送信電力を、前記停止マージンに基づいて判別するように構成された判別部と、を備える、
装置。
【０１０８】
（付記１０）
前記取得部は、
前記Ｄ２Ｄ送信機の前記Ｄ２Ｄ受信機への伝送路損失と、前記Ｄ２Ｄ送信機の電力リミットと、前記Ｄ２Ｄ受信機におけるガウス雑音の出力と、を取得するように構成された第１の取得手段と、
前記Ｄ２Ｄ通信の伝送率と前記Ｄ２Ｄ通信の停止確率閾値とを調節するように構成された調節手段と、
前記停止マージンを、前記Ｄ２Ｄ送信機の前記Ｄ２Ｄ受信機への伝送路損失と、前記Ｄ２Ｄ送信機の送信電力の前記電力リミットと、前記Ｄ２Ｄ受信機における前記ガウス雑音の出力と、前記Ｄ２Ｄ通信の前記伝送率と、前記Ｄ２Ｄ通信の前記停止確率閾値と、に基づいて取得するように構成された取得手段と、を備える、
付記９に記載の装置。
【０１０９】
（付記１１）
前記判別部は、
前記少なくとも１つのＵＥのうち１つの前記Ｄ２Ｄ受信機への伝送路損失を取得するように構成された第２の取得手段と、
前記少なくとも１つのＵＥのうち１つによって引き起こされた停止確率が停止確率閾値を超えるか否かを、前記取得された伝送路損失と前記停止マージンとに基づいて判別するように構成された第１の判別手段と、
前記少なくとも１つのＵＥのうち１つによって引き起こされた前記停止確率が前記停止確率閾値を超えると判別されたことに応答して、前記少なくとも１つのＵＥのうち１つの前記ターゲット送信電力をゼロに設定するように構成された第１の設定手段と、を備える、
付記９に記載の装置。
【０１１０】
（付記１２）
前記判別部は、
前記少なくとも１つのＵＥのうち１つの前記Ｄ２Ｄ受信機への伝送路損失を取得するように構成された第３の取得手段と、
前記セルラスケジューリングに関与する１つまたは複数のＵＥの上限を示すＵＥ数リミットに従って前記停止マージンを調整するように構成された第１の調整手段と、
前記少なくとも１つのＵＥのうち１つによって引き起こされた停止確率が停止確率閾値を超えるか否かを、前記取得された伝送路損失と前記調整された停止マージンとに基づいて判別するように構成された第２の判別手段と、
前記少なくとも１つのＵＥのうち１つによって引き起こされた前記停止確率が前記停止確率閾値を超えると判別されたことに応答して、前記少なくとも１つのＵＥのうち１つの前記ターゲット送信電力をゼロに設定するように構成された第２の設定手段と、を備える、
付記９に記載の装置。
【０１１１】
（付記１３）
前記判別部は、
前記少なくとも１つのＵＥのうち１つの前記Ｄ２Ｄ受信機への伝送路損失と、前記少なくとも１つのＵＥのうち１つの全電力と、を取得するように構成された第４の取得手段と、
前記セルラスケジューリングに関与する１つまたは複数のＵＥの上限を示すＵＥ数リミットに従って前記停止マージンを調整するように構成された第２の調整手段と、
前記少なくとも１つのＵＥのうち１つの前記ターゲット送信電力を、前記取得された伝送路損失と、前記取得された全電力と、前記調整された停止マージンと、に基づいて判別するように構成された第３の判別手段と、を備える、
付記９に記載の装置。
【０１１２】
（付記１４）
前記第１の調整手段または前記第２の調整手段は、
前記停止マージンを前記ＵＥ数リミットによって除算することにより平均停止マージンを算出するように構成された第１の算出手段と、
前記停止マージンを前記平均停止マージンによって更新するように構成された第１の更新手段と、を備える、
付記１２または１３に記載の装置。
【０１１３】
（付記１５）
前記第１の調整手段または前記第２の調整手段は、
前記停止マージンを前記ＵＥ数リミットによって除算することにより平均停止マージンを算出するように構成された第２の算出手段と、
前記少なくとも１つのＵＥそれぞれの重みを、伝送路損失または前記少なくとも１つのＵＥそれぞれの前記Ｄ２Ｄ受信機への平均チャネルゲインに基づいて算出するように構成された第３の算出手段と、
前記算出された重みによって前記平均停止マージンを重み付けするように構成された重み付け手段と、
前記重み付けされた平均停止マージンによって前記停止マージンを更新するように構成された第２の更新手段と、を備える、
付記１２または１３に記載の装置。
【０１１４】
（付記１６）
前記第２の取得手段、前記第３の取得手段、または前記第４の取得手段は、
Ｄ２Ｄ受信機が前記少なくとも１つのＵＥのうち１つの前記Ｄ２Ｄ受信機への伝送路損失を取得するように、前記少なくとも１つのＵＥのうち１つから前記ＢＳへ送信された参照信号を聴取するように前記Ｄ２Ｄ受信機へ通知するように構成された通知手段と、
前記少なくとも１つのＵＥのうち１つの前記Ｄ２Ｄ受信機への前記伝送路損失を前記Ｄ２Ｄ受信機から取得するように構成された第５の取得手段と、を備える、
付記１１乃至１３の何れか１つに記載の装置。
【図２】
2015515772.tif 000010
【図３】
2015515772.tif 000011
【図４】
2015515772.tif 000012
【図５】
2015515772.tif 000013
【図６】
2015515772.tif 000014
【図７】
2015515772.tif 000015
【図１】
2015515772.tif 000016
【国際調査報告】
2015515772.tif 000017
2015515772.tif 000018